(57)【要約】【課題】適正な粘度を有し、寒暖の差による粘度変化が少なく、良好な低温流動性を有するとともに、消泡性能がより高められた潤滑油組成物を提供する。【解決手段】基油と消泡剤（ＡＦ）とを含有する潤滑油組成物であって、消泡剤（ＡＦ）は、ジメチルシリコーン消泡剤（ａｆ１）、及び重量平均分子量（Ｍｗ）が２５０００以上の消泡剤（ａｆ２）（但し、ジメチルシリコーン消泡剤（ａｆ１）に該当するものを除く）からなる群より選択される２種以上を含むことを特徴とする。【選択図】なし【特許請求の範囲】
【請求項１】
基油と消泡剤（ＡＦ）とを含有する潤滑油組成物であって、
前記消泡剤（ＡＦ）は、ジメチルシリコーン消泡剤（ａｆ１）、及び重量平均分子量（Ｍｗ）が２５０００以上の消泡剤（ａｆ２）（但し、前記ジメチルシリコーン消泡剤（ａｆ１）に該当するものを除く）からなる群より選択される２種以上を含む、潤滑油組成物。
【請求項２】
前記消泡剤（ＡＦ）は、前記ジメチルシリコーン消泡剤（ａｆ１）を含む、請求項１に記載の潤滑油組成物。
【請求項３】
前記ジメチルシリコーン消泡剤（ａｆ１）の含有量は、０．０００１〜０．１質量％である、請求項２に記載の潤滑油組成物。
【請求項４】
前記消泡剤（ＡＦ）は、前記ジメチルシリコーン消泡剤（ａｆ１）と前記消泡剤（ａｆ２）とを含む、請求項２又は３に記載の潤滑油組成物。
【請求項５】
前記消泡剤（ａｆ２）の含有量は、０．０００１〜０．１質量％である、請求項４に記載の潤滑油組成物。
【請求項６】
さらに、粘度指数向上剤としてポリメタクリレートを含有する、請求項１〜５のいずれか一項に記載の潤滑油組成物。
【請求項７】
ドアクローザー用油である、請求項１〜６のいずれか一項に記載の潤滑油組成物。
【発明の詳細な説明】
【技術分野】
【０００１】
本発明は、潤滑油組成物に関する。
【背景技術】
【０００２】
ドアクローザーは、一般に扉の上部に取り付けられる装置であり、開けられた扉を自動的に閉める働きをする。その際、ドアクローザーは、扉が急激に閉じることのないように、閉まる動作を緩慢にする機能も備える。また、ドアクローザーは、風などで扉が開かないようにする働きもする。扉を閉じる際、ドアクローザーによって、扉が大きく開いているときの動く速度、扉が閉じる直前のときの動く速度など、速度を数段階に設定できる。具体的には、ドアクローザーは、扉が閉じる途中は速い動きですみやかな閉じ動作を行い、扉が全部閉まる直前の指を挟む危険がある位置からはゆっくりとした動きで閉じ動作を行い、安全かつ静穏な閉じ方をする。
【０００３】
ドアクローザーにおいては、扉の開閉を円滑にするため、ドアクローザーの内部に潤滑油（ドアクローザー用油）が封入されている。潤滑油（ドアクローザー用油）には、ベースオイル（基油）に、様々な添加剤が加えられる。
例えば、基油に粘度指数向上剤が配合された、ドアクローザー用の油圧作動油が開示されている（特許文献１，２参照）。
【先行技術文献】
【特許文献】
【０００４】
【特許文献１】特開２００７−０９１７６８号公報
【特許文献２】特開２００７−１０６８７８号公報
【発明の概要】
【発明が解決しようとする課題】
【０００５】
ドアクローザーによる扉の開閉を円滑に行うために、潤滑油には、（１）適正な粘度を有すること、（２）外気に曝されるため、寒暖の差による粘度変化が少ないこと、（３）極寒地域等においても、良好な低温流動性を有すること、（４）泡が混入すると、扉の開閉時に異音を発生するようになるため、消泡性の良いこと、等が要求される。
しかしながら、特許文献１、２に記載されたような従来の潤滑油では、かかる要求に対して不充分であり、特に消泡性の点で未だ問題があった。
【０００６】
本発明は、上記事情に鑑みてなされたものであり、適正な粘度を有し、寒暖の差による粘度変化が少なく、良好な低温流動性を有するとともに、消泡性能がより高められた潤滑油組成物を提供することを課題とする。
【課題を解決するための手段】
【０００７】
本発明の態様は、基油と消泡剤（ＡＦ）とを含有する潤滑油組成物であって、前記消泡剤（ＡＦ）は、ジメチルシリコーン消泡剤（ａｆ１）、及び重量平均分子量（Ｍｗ）が２５０００以上の消泡剤（ａｆ２）（但し、前記ジメチルシリコーン消泡剤（ａｆ１）に該当するものを除く）からなる群より選択される２種以上を含むことを特徴とする潤滑油組成物である。
【０００８】
本発明の態様に係る潤滑油組成物において、前記消泡剤（ＡＦ）は、前記ジメチルシリコーン消泡剤（ａｆ１）を含むことが好ましい。
前記ジメチルシリコーン消泡剤（ａｆ１）の含有量は、０．０００１〜０．１質量％であることが好ましい。
【０００９】
本発明の態様に係る潤滑油組成物において、前記消泡剤（ＡＦ）は、前記ジメチルシリコーン消泡剤（ａｆ１）と前記消泡剤（ａｆ２）とを含むことが好ましい。
前記消泡剤（ａｆ２）の含有量は、０．０００１〜０．１質量％であることが好ましい。
【００１０】
本発明の態様に係る潤滑油組成物においては、さらに、粘度指数向上剤としてポリメタクリレートを含有することが好ましい。
本発明の態様に係る潤滑油組成物は、ドアクローザー用油として好適なものである。
【発明の効果】
【００１１】
本発明によれば、適正な粘度を有し、寒暖の差による粘度変化が少なく、良好な低温流動性を有するとともに、消泡性能がより高められた潤滑油組成物を提供することができる。
【発明を実施するための形態】
【００１２】
（潤滑油組成物）
本実施形態の潤滑油組成物は、基油と消泡剤と少なくとも含有するものであり、必要に応じてその他成分を含有してもよい。当該潤滑油組成物においては、消泡剤に特徴があり、これ以外の構成については公知の種々の潤滑油組成物を適用できる。
【００１３】
＜基油＞
本実施形態における基油としては、例えば、鉱油もしくは合成油又はこれらの混合油を含むものが挙げられる。当該基油の中でも、鉱油が好ましい。
鉱油としては、原油を、常圧蒸留又は減圧蒸留して得られた留分に対し、溶剤脱れき、溶剤抽出、水素化分解、溶剤脱ろう、接触脱ろう、水素化精製、酸洗浄、白土処理などの１種もしくは２種以上の精製手段を適宜組み合わせて得られる、パラフィン系鉱油又はナフテン系鉱油が挙げられ、この中でもパラフィン系鉱油がより好ましい。
【００１４】
本実施形態における基油には、米国石油協会（American Petroleum Institute：API）でのベースオイルの分類における、グループＩ〜ＩＶのいずれも用いることができ、これらの２種以上を適宜混合して用いてもよい。
【００１５】
本実施形態における基油の動粘度は、４０℃において、３〜３０ｍｍ２／ｓが好ましく、６〜１５ｍｍ２／ｓが特に好ましい。
当該基油の動粘度が、前記の好ましい範囲の下限値を下回ると、作動油がオリフィスを通過する時間が短くなりやすく、例えばドアクローザー用途において扉が急激に閉まるようになるおそれがある。一方、前記の好ましい範囲の上限値以下であれば、潤滑油組成物の流動性が適正に確保され、扉の開閉が円滑に行われやすくなる。
【００１６】
本発明において「動粘度」は、ＪＩＳ  Ｋ  ２２８３（２０００）に準拠した方法により測定できる。
【００１７】
本実施形態における基油の粘度指数は、９５〜１５０が好ましく、１００〜１４０がより好ましい。
当該基油の粘度指数が、前記の好ましい範囲の下限値以上であれば、温度による粘度変化が抑えられやすくなり、一方、前記の好ましい範囲の上限値以下であれば、低温での流動性が確保されやすくなる。
【００１８】
本発明において「粘度指数」は、ＪＩＳ  Ｋ  ２２８３（２０００）に準拠した方法により測定できる。
【００１９】
本実施形態における基油の流動点は、０℃以下が好ましく、−１０℃以下がより好ましい。
当該基油の流動点が、前記の好ましい範囲の上限値以下であれば、低温での流動性が確保されやすくなる。
【００２０】
本発明において「流動点」は、ＪＩＳ  Ｋ  ２２６９（１９８７）に準拠した方法により測定できる。
【００２１】
潤滑油組成物中の基油の含有量は、潤滑油組成物の総量（１００質量％）に対して７０質量％以上が好ましく、７０〜９０質量％がより好ましい。
【００２２】
＜消泡剤（ＡＦ）＞
本実施形態における消泡剤（ＡＦ）には、ジメチルシリコーン消泡剤（ａｆ１）、及び重量平均分子量（Ｍｗ）が２５０００以上の消泡剤（ａｆ２）（但し、前記ジメチルシリコーン消泡剤（ａｆ１）に該当するものを除く）からなる群より選択される２種以上を含むものが用いられる。
【００２３】
≪消泡剤（ａｆ１）≫
ジメチルシリコーン消泡剤（ａｆ１）（以下単に「消泡剤（ａｆ１）」とも表記する。）とは、ジメチルシリコーンからなる消泡剤をいう。
消泡剤（ａｆ１）としては、下記化学式（ａｆ１−１）で表されるジメチルポリシロキサン（ジメチコン）が用いられる。式中、ｎは、構成単位［−（ＣＨ３）２ＳｉＯ−］の繰り返し数を示す。
【００２４】
【化１】
2020007403.tif 000002
【００２５】
消泡剤（ａｆ１）の重量平均分子量（Ｍｗ）は、３００００〜５００００が好ましく、３５０００〜４５０００がより好ましい。
消泡剤（ａｆ１）のＭｗが、前記の好ましい範囲の下限値以上であると、充分な消泡効果が発現しやすくなる。一方、前記の好ましい範囲の上限値以下であると、溶解性が向上する。
【００２６】
本発明において「重量平均分子量（Ｍｗ）は、」は、ゲル浸透クロマトグラフィー（ＧＰＣ）によりポリスチレン換算値で測定することができる。
【００２７】
本実施形態の潤滑油組成物において、消泡剤（ａｆ１）は、１種のみが用いられてもよく、２種以上が組み合わされ用いられてもよい。
当該潤滑油組成物中の消泡剤（ａｆ１）の含有量は、潤滑油組成物の総量（１００質量％）に対して、０．０００１〜０．１質量％であることが好ましく、０．００１〜０．０１質量％であることがより好ましい。
【００２８】
≪消泡剤（ａｆ２）≫
消泡剤（ａｆ２）とは、重量平均分子量（Ｍｗ）が２５０００以上の消泡剤である。
消泡剤（ａｆ２）の重量平均分子量（Ｍｗ）は、２５０００以上であり、２５０００〜３５０００が好ましい。
消泡剤（ａｆ２）のＭｗが、前記の範囲の下限値以上であれば、消泡効果がより高められやすくなる。
【００２９】
消泡剤（ａｆ２）には、消泡剤（ａｆ１）に該当するものを除く、Ｍｗが２５０００以上である消泡効果を発現するものを用いることができる。
本実施形態の潤滑油組成物においては、消泡剤（ａｆ１）との相互作用が高いことから、消泡剤（ａｆ２）の中でも、シリコーン化合物が好ましい。この中でも、特に高温側の消泡効果が高められやすいことから、フッ素原子を含むシリコーン化合物（すなわち、フルオロシリコーン）がより好ましい。
【００３０】
好ましい消泡剤（ａｆ２）としては、例えば、下記化学式（ａｆ２−１）で表されるフルオロシリコーンが挙げられる。式中、ｍ１は、構成単位［−（ＣＨ３）２ＳｉＯ−］の繰り返し数を示す。ｍ２は、構成単位［−（ＣＨ３）（Ｒｆ）ＳｉＯ−］の繰り返し数を示す。前記Ｒｆは、フッ素化アルキル基を表し、好ましくは炭素数１〜５のフッ素化アルキル基を表す。
【００３１】
【化２】
2020007403.tif 000003
【００３２】
消泡剤（ａｆ２）として好適なフルオロシリコーンには、例えば、信越化学工業株式会社製の品名「信越シリコーンＦＡ−６００」、「信越シリコーンＦＡ−６３０」等を用いて配合することができる。
【００３３】
本実施形態の潤滑油組成物において、消泡剤（ａｆ２）は、１種のみが用いられてもよく、２種以上が組み合わされ用いられてもよい。
当該潤滑油組成物中の消泡剤（ａｆ２）の含有量は、潤滑油組成物の総量（１００質量％）に対して、０．０００１〜０．１質量％であることが好ましく、０．０００５〜０．００３質量％であることがより好ましい。
【００３４】
本実施形態の潤滑油組成物において、消泡剤（ＡＦ）は、消泡剤（ａｆ１）及び消泡剤（ａｆ２）からなる群より選択される２種以上を含むものが用いられ、この中でも消泡性能がいずれも向上しやすいことから、消泡剤（ａｆ１）と消泡剤（ａｆ２）とを組み合わせて用いることがより好ましい。この中でも、消泡性能がさらに高められやすいことから、消泡剤（ＡＦ）としては、ジメチルシリコーン及びフルオロシリコーンの両方を併有することが特に好ましい。
【００３５】
消泡剤（ａｆ１）と消泡剤（ａｆ２）とを組み合わせて用いる場合、消泡剤（ａｆ１）と消泡剤（ａｆ２）との質量比は、消泡剤（ａｆ１）／消泡剤（ａｆ２）＝１／５〜５／１が好ましく、１／３〜１／１がより好ましい。
当該質量比は、前記の好ましい範囲内であれば、消泡効果がより向上し、特に高温側の消泡効果が高められやすくなる。
【００３６】
本実施形態の潤滑油組成物において、消泡剤（ＡＦ）には、消泡剤（ａｆ１）及び消泡剤（ａｆ２）以外の消泡剤（以下これを「消泡剤（ａｆ３）」ともいう。）を用いてもよい。しかし、消泡性能がより向上しやすいことから、消泡剤（ＡＦ）には、消泡剤（ａｆ１）及び消泡剤（ａｆ２）のみからなるものを用いることが好ましい。
消泡剤（ａｆ３）としては、例えば、Ｍｗが２５０００未満である消泡効果を発現する化合物（但し、消泡剤（ａｆ１）に該当するものを除く）を用いることができ、具体的にはポリメタクリレート系重合体等が挙げられる。
【００３７】
＜その他成分＞
本実施形態の潤滑油組成物が含有してもよい、その他成分としては、例えば、粘度指数向上剤、酸化防止剤、さび止め剤（防錆剤）、極圧剤・摩耗防止剤、金属不活性剤、摩擦調整剤、流動点降下剤、金属系清浄剤、無灰分散剤、腐食防止剤などが挙げられる。
【００３８】
≪粘度指数向上剤≫
本実施形態の潤滑油組成物においては、基油及び消泡剤（ＡＦ）に加えて、さらに、粘度指数向上剤としてポリメタクリレートを含有することが好ましい。粘度指数向上剤の中でも、ポリメタクリレートを選択することで、流動点降下の効果が得られやすい。
【００３９】
粘度指数向上剤としてのポリメタクリレートには、例えば、三洋化成工業株式会社製の品名「アクルーブ７４０」、「サンルーブ  Ｅ５０７０」；エボニックジャパン株式会社製の品名「ＶＩＳＣＯＰＬＥＸ  ３−２０１」、シェブロンジャパン株式会社製の品名「ＰＡＬＡＴＯＮＥ８０５７」等が用いられる。
【００４０】
かかるポリメタクリレートの重量平均分子量（Ｍｗ）は、２０００００〜６０００００が好ましく、２４００００〜５５００００がより好ましく、２５００００〜５０００００がさらに好ましい。
ポリメタクリレートのＭｗが、前記の好ましい範囲の下限値以上であれば、温度による粘度変化が抑えられやすくなり、一方、前記の好ましい範囲の上限値以下であると、流動性又は溶解性が向上する。
【００４１】
本実施形態の潤滑油組成物において、粘度指数向上剤としてのポリメタクリレートは、１種のみが用いられてもよく、２種以上が組み合わされ用いられてもよい。中でも、ポリメタクリレートは、２種以上を組み合わせて用いることが好ましい。
例えば、Ｍｗが２０００００〜４０００００であるポリメタクリレート（以下「ＰＭＡ（１）」という。）と、Ｍｗが４０００００〜６０００００であるポリメタクリレート（以下「ＰＭＡ（２）」という。）と、を組み合わせて用いることで、高粘度指数化に寄与する。
この場合、ＰＭＡ（１）とＰＭＡ（２）との質量比は、ＰＭＡ（１）／ＰＭＡ（２）＝５／５〜９／１が好ましく、７／３〜９／１がより好ましく、８／２〜９／１が特に好ましい。
【００４２】
当該潤滑油組成物中のポリメタクリレートの含有量は、潤滑油組成物の総量（１００質量％）に対して、５〜４０質量％であることが好ましく、１０〜３５質量％がより好ましく、１５〜２５質量％がさらに好ましい。
【００４３】
以上説明した本実施形態の潤滑油組成物には、基油に、特定の消泡剤２種以上が添加されている。かかる特定の消泡剤は、ジメチルシリコーン消泡剤と、重量平均分子量（Ｍｗ）が２５０００以上の消泡剤と、からなる群より選択され、これらのうちの組み合わせの相乗的な効果によって、消泡性能がより高められた潤滑油組成物が調製される。
【００４４】
本実施形態においては、例えば、４０℃の動粘度が４０〜７０ｍｍ２／ｓの範囲内、好ましくは４５〜６０ｍｍ２／ｓの範囲内である潤滑油組成物が容易に調製される。
本実施形態においては、例えば、１００℃の動粘度が１０〜３０ｍｍ２／ｓの範囲内、好ましくは１５〜２５ｍｍ２／ｓの範囲内である潤滑油組成物が容易に調製される。
また、本実施形態においては、例えば、粘度指数が３００〜４５０の範囲内、好ましくは３２５〜４２５の範囲内である潤滑油組成物が容易に調製される。
また、本実施形態においては、例えば、流動点が−４５℃以下である潤滑油組成物が容易に調製される。
【００４５】
本実施形態の潤滑油組成物は、適正な粘度を有し、寒暖の差による粘度変化が少なく、良好な低温流動性を有するとともに、消泡性能がより高められたものである。当該潤滑油組成物は、油圧作動油として有用なものである。
加えて、当該潤滑油組成物によれば、摺動部の摩擦が低減され、また、Ｏリング等のシール材に対する適合性を有する。かかる当該潤滑油組成物は、ドアクローザー用油に特に好適なものである。
【実施例】
【００４６】
以下、本発明の効果を実施例及び比較例を用いて詳細に説明するが、本発明は下記の実施例に限定されるものではない。
本実施例において、潤滑油組成物及び炭化水素基油についての動粘度（４０℃）、動粘度（１００℃）、粘度指数、流動点をそれぞれ以下に示す方法によって測定した。
また、炭化水素基油についての密度（１５℃）、色（ＡＳＴＭ）、引火点、酸価、アニリン点、銅板腐食（１００℃、３ｈ）をそれぞれ以下に示す方法によって測定した。
【００４７】
［動粘度（４０℃）、動粘度（１００℃）］
潤滑油組成物及び炭化水素基油についての動粘度（ｍｍ２／ｓ）は、ＪＩＳ  Ｋ  ２２８３（２０００）に準拠した方法を用い、４０℃及び１００℃の各温度条件下でそれぞれ測定した。
【００４８】
［粘度指数］
潤滑油組成物及び炭化水素基油についての粘度指数は、ＪＩＳ  Ｋ  ２２８３（２０００）に準拠して測定した。
【００４９】
［流動点］
潤滑油組成物及び炭化水素基油についての流動点（℃）は、ＪＩＳ  Ｋ  ２２６９（１９８７）に準拠して測定した。
【００５０】
［密度（１５℃）］
炭化水素基油についての密度（１５℃）（ｇ／ｃｍ３）は、ＪＩＳ  Ｋ  ２２４９（１９９５）に準拠して測定した。
【００５１】
［色（ＡＳＴＭ）］
炭化水素基油についての色（ＡＳＴＭ）は、ＡＳＴＭ  Ｄ１５００に準拠して測定した。
【００５２】
［引火点］
炭化水素基油についての引火点（℃）は、ＪＩＳ  Ｋ  ２２６５（２００７）に準拠して測定した。
【００５３】
［酸価］
炭化水素基油についての酸価（ｍｇＫＯＨ／ｇ）は、ＪＩＳ  Ｋ  ２５０１（２００３）に準拠して測定した。
【００５４】
［アニリン点］
炭化水素基油についてのアニリン点（℃）は、ＪＩＳ  Ｋ  ２２５６（２０１３）に準拠して測定した。
【００５５】
［銅板腐食（１００℃、３ｈ）］
炭化水素基油についての銅板腐食（１００℃、３ｈ）は、ＪＩＳ  Ｋ  ２５１３（２０００）に準拠して測定した。
【００５６】
本実施例で用いた基油、消泡剤及びその他成分は、それぞれ以下の通りである。
【００５７】
・基油
表１に示す炭化水素基油Ｂと炭化水素基油Ｃとを用いて混合することにより、基油（１）を調製した。
表１に示す炭化水素基油Ａと炭化水素基油Ｂと炭化水素基油Ｃとを用いて混合することにより、基油（２）を調製した。
【００５８】
【表１】
2020007403.tif 000004
【００５９】
基油（１）：炭化水素基油Ｂ／炭化水素基油Ｃ＝２５／７５（質量比）の炭化水素基油Ｂと炭化水素基油Ｃとの混合液。基油（１）の動粘度（４０℃）９．１ｍｍ２／ｓ
【００６０】
基油（２）：炭化水素基油Ａ／炭化水素基油Ｂ／炭化水素基油Ｃ＝６０／３０／１０（質量比）の炭化水素基油Ａと炭化水素基油Ｂと炭化水素基油Ｃとの混合液。基油（２）の動粘度（４０℃）３．２ｍｍ２／ｓ
【００６１】
・消泡剤
消泡剤（ａｆ１）：重量平均分子量（Ｍｗ）４００００のジメチルポリシロキサン（オイル状）、信越化学工業株式会社製の品名「ＫＦ−９６−３」
【００６２】
消泡剤（ａｆ２）：Ｍｗ２７３００のフルオロシリコーン（オイル状）、フッ素原子の割合（Ｆ変性率）５０％、信越化学工業株式会社製の品名「信越シリコーンＦＡ−６００」
【００６３】
消泡剤（ａｆ３−１）：Ｍｗ２０９００のポリメタクリレート系重合体（オイル状）、Ｄｏｒｆ  Ｋｅｔａｌ  Ｃｈｅｍｉｃａｌｓ製の品名「ＰＸ３８４１」
消泡剤（ａｆ３−２）：Ｍｗ２６５０のフルオロシリコーン（オイル状）、東レ・ダウコーニング株式会社製の品名「ＦＳ１２６５」
【００６４】
・その他成分
粘度指数向上剤Ａ：ポリメタクリレート、Ｍｗ２３００００、三洋化成工業株式会社製の品名「アクルーブ７４０」
粘度指数向上剤Ｂ：ポリメタクリレート、Ｍｗ５０００００、エボニックジャパン株式会社製の品名「ＶＩＳＣＯＰＬＥＸ  ３−２０１」
粘度指数向上剤Ｃ：ポリメタクリレート、Ｍｗ２５００００、三洋化成工業株式会社製の品名「サンルーブ  Ｅ５０７０」
粘度指数向上剤Ｄ：ポリメタクリレート、Ｍｗ１６００００、シェブロンジャパン株式会社製の品名「ＰＡＬＡＴＯＮＥ８０５７」
【００６５】
防錆剤：アルケニルコハク酸ハーフエステル、シェブロンジャパン株式会社製の品名「ＯＬＯＬＡ５６５３」
摩耗防止剤（１）：ジアルキルジチオリン酸亜鉛、シェブロンジャパン株式会社製の品名「ＯＬＯＬＡ２６９ＲＪ」
摩耗防止剤（２）：ジアルキルジチオリン酸亜鉛、アフトンケミカル・ジャパン株式会社製の品名「ＨｉＴＥＣ６８０」
清浄剤：マグネシウムスルフォネート、アフトンケミカル・ジャパン株式会社製の品名「ＨｉＴＥＣ７６３７」
【００６６】
＜潤滑油組成物の製造＞
（実施例１、比較例１〜５）
表２（組成、配合割合）に示すように、基油に、その他成分を添加して混合した後、消泡剤を加えて混合することにより、各例の潤滑油組成物をそれぞれ製造した。
【００６７】
＜評価＞
製造された各例の潤滑油組成物における粘度特性及び消泡性能を評価した。
【００６８】
［粘度特性］
各例の潤滑油組成物について、上述の方法により動粘度（４０℃）、動粘度（１００℃）、粘度指数、流動点をそれぞれ測定し、粘度特性を評価した。これらの測定結果を表２に示した。
【００６９】
［消泡性能］
各例の潤滑油組成物について、ＪＩＳ  Ｋ  ２５１８（２００３）に準拠した方法により、以下に示す温度条件下で５分間泡立たせた後、静置した。
温度条件
シーケンスＩ：２４℃、
シーケンスＩＩ：９３．５℃、
シーケンスＩＩＩ：９３．５℃から２４℃へ変化
かかる静置の直後から、５分経過後の泡量（ｍＬ）、１０分経過後の泡量（ｍＬ）をそれぞれ測定した。この測定結果を「５分／１０分」として表２に示した。
【００７０】
【表２】
2020007403.tif 000005
【００７１】
表２の結果から、本発明を適用した実施例１の潤滑油組成物は、（動粘度より）適正な粘度を有し、（粘度指数より）寒暖の差による粘度変化が少なく、（流動点より）良好な低温流動性を有するとともに、消泡性能がより高められていることが確認できる。
【００７２】
本発明の範囲外である比較例１、３、４の潤滑油組成物は、高温側の消泡効果が不充分であった。また、本発明の範囲外である比較例２、５の潤滑油組成物は、低温側の消泡効果が低く、さらに、高温から低温へ温度を変化させた際における消泡効果が悪かった。